(57)【要約】      （修正有）【課題】ソフトウェアとハードウェアを分離した低コストで小型の音声制御ブルートゥース（登録商標）・ヘッドセットを提供する。【解決手段】音声制御ブルートゥース・ヘッドセットは、受話機、記憶モジュール、音声送受信モジュール、命令受信モジュール及びブルートゥースモジュールを含む。ブルートゥースモジュールは他の部品に電気的に接続される。音声送受信モジュールは、プリセットパスワードを受信すると、受信した音声情報を、ヘッドセットにマッチングするブルートゥース装置に送信する。命令受信モジュールは、ヘッドセットにマッチングするブルートゥース装置が音声情報を認識した後に送信した命令を受信する。ブルートゥースモジュールは、システム制御及びブルートゥース伝送のために使用されるとともに、命令受信モジュールにより受信された命令を処理して対応する機能を実行する。【選択図】図１
0003225862.tif 000002
【実用新案登録請求の範囲】
【請求項１】
ソフトウェアとハードウェアを分離した音声制御ブルートゥース・ヘッドセットであって、受話機（１）、記憶モジュール（２）、音声送受信モジュール（３）、命令受信モジュール（４）及びブルートゥースモジュール（５）を含み、前記受話機（１）は、ブルートゥースモジュール（５）に電気的に接続され、オーディオ電気信号と音声信号の変換を実現するために使用され、前記記憶モジュール（２）は、ブルートゥースモジュール（５）に電気的に接続され、システム・ファームウェア及びシステム構成ファイルを記憶するために使用され、前記音声送受信モジュール（３）は、ブルートゥースモジュール（５）に電気的に接続され、プリセットパスワードを受信すると、受信した音声情報を、ヘッドセットにマッチングするブルートゥース装置に送信するために使用され、前記命令受信モジュール（４）は、ブルートゥースモジュール（５）に電気的に接続され、ヘッドセットにマッチングするブルートゥース装置が音声情報を認識した後に送信した命令を受信するために使用され、前記ブルートゥースモジュール（５）は、システム制御及びブルートゥース伝送のために使用されるとともに、命令受信モジュールにより受信された命令を処理して対応する機能を実行するために使用される、ことを特徴とするソフトウェアとハードウェアを分離した音声制御ブルートゥース・ヘッドセット。
【請求項２】
音量出力制御モジュール（６）を更に含み、前記音量出力制御モジュール（６）は、ブルートゥースモジュール（５）に電気的に接続され、前記音量出力制御モジュール（６）には、複数のプリセット音量出力モードが設定され、ブルートゥースモジュール（５）の命令に従って、ある一つのプリセット音量出力モードがオン又はオフにされる、ことを特徴とする請求項１に記載のソフトウェアとハードウェアを分離した音声制御ブルートゥース・ヘッドセット。
【請求項３】
片耳・両耳モードモジュール（７）を更に含み、前記片耳・両耳モードモジュール（７）は、ブルートゥースモジュール（５）に電気的に接続され、前記片耳・両耳モードモジュール（７）には、複数のプリセット片耳・両耳モードが設定され、ブルートゥースモジュール（５）の命令に従って、ある一つのプリセット片耳・両耳モードがオン又はオフにされる、ことを特徴とする請求項１に記載のソフトウェアとハードウェアを分離した音声制御ブルートゥース・ヘッドセット。
【請求項４】
音域モードモジュール（８）を更に含み、前記音域モードモジュール（８）は、ブルートゥースモジュール（５）に電気的に接続され、前記音域モードモジュール（８）には、複数の音域モードが設定され、ブルートゥースモジュール（５）の命令に従って、ある一つのプリセット音域モードがオン又はオフにされる、ことを特徴とする請求項１に記載のソフトウェアとハードウェアを分離した音声制御ブルートゥース・ヘッドセット。
【請求項５】
ユーザーカスタマイジングモジュール（９）を更に含み、前記ユーザーカスタマイジングモジュール（９）は、ブルートゥースモジュールに（５）電気的に接続され、前記ユーザーカスタマイジングモジュール（９）は、ユーザーの好みに応じてカスタマイジングモードを設定し、ブルートゥースモジュール（５）の命令に従ってカスタマイジングモードをオン又はオフにするために使用される、ことを特徴とする請求項１に記載のソフトウェアとハードウェアを分離した音声制御ブルートゥース・ヘッドセット。
【考案の詳細な説明】
【技術分野】
【０００１】
本考案は、ブルートゥース・ヘッドセット技術の分野に関し、特に、ソフトウェアとハードウェアを分離したブルートゥース音声制御ヘッドセットに関する。
【背景技術】
【０００２】
現在、無線通信に対する需要の高まりに伴い、ブルートゥース・ヘッドセットの適用範囲もますます広くなっている。ブルートゥース・ヘッドセットは、ブルートゥース技術に基づく小型デバイスである。ブルートゥース技術をハンズフリーブルートゥース・ヘッドセットに適用することによって、ユーザーが、煩わしい配線をすることなく、様々な方式で自由に通話することができる。ブルートゥース・ヘッドセットは出現以来、モバイルビジネスの人々が効率を向上させるための優れたツールになっている。
【０００３】
しかしながら、既存のタッチ式ブルートゥース・ヘッドセットの場合、ヘッドセットを制御するとき、ヘッドセットを頻繁にタッチして制御する必要があり、ユーザーの使用体験に影響を及ぼす。既存の音声制御ブルートゥース・ヘッドセットは、コア音声制御システムのソフトウェアとハードウェアの両方がヘッドセットに設定されているため、ヘッドセットのコストが増加するとともに、ヘッドセットの体積も増加し、ユーザーの購入体験と使用体験に影響を及ぼす。従って、本考案は、マンマシンインタラクションが可能な、低コストで小型の、ソフトウェアとハードウェアを分離した音声制御ブルートゥース・ヘッドセットを提供する。
【考案の概要】
【考案が解決しようとする課題】
【０００４】
従来技術の欠点を克服するために、本考案は、構造が簡単で使用が便利である、ソフトウェアとハードウェアを分離した音声制御ブルートゥース・ヘッドセットを提供する。
本考案がその技術的問題を解決するために採用する技術案は下記のとおりである。
【０００５】
本考案は、ソフトウェアとハードウェアを分離した音声制御ブルートゥース・ヘッドセットを提供する。該音声制御ブルートゥース・ヘッドセットは、受話機、記憶モジュール、音声送受信モジュール、命令受信モジュール及びブルートゥースモジュールを含む。前記受話機は、ブルートゥースモジュールに電気的に接続され、オーディオ電気信号と音声信号の変換を実現するために使用される。前記記憶モジュールは、ブルートゥースモジュールに電気的に接続され、システム・ファームウェア及びシステム構成ファイルを記憶するために使用される。前記音声送受信モジュールは、ブルートゥースモジュールに電気的に接続され、プリセットパスワードを受信すると、受信した音声情報を、ヘッドセットにマッチングするブルートゥース装置に送信するために使用される。前記命令受信モジュールは、ブルートゥースモジュールに電気的に接続され、ヘッドセットにマッチングするブルートゥース装置が音声情報を認識した後に送信した命令を受信するために使用される。前記ブルートゥースモジュールは、システム制御及びブルートゥース伝送のために使用されるとともに、命令受信モジュールにより受信された命令を処理して対応する機能を実行するために使用される。
【０００６】
さらに、音量出力制御モジュールが更に含まれる。前記音量出力制御モジュールは、ブルートゥースモジュールに電気的に接続される。前記音量出力制御モジュールには、複数のプリセット音量出力モードが設定され、ブルートゥースモジュールの命令に従って、ある一つのプリセット音量出力モードがオン又はオフにされる。
【０００７】
さらに、片耳・両耳モードモジュールが更に含まれる。前記片耳・両耳モードモジュールは、ブルートゥースモジュールに電気的に接続される。前記片耳・両耳モードモジュールには、複数のプリセット片耳・両耳モードが設定され、ブルートゥースモジュールの命令に従って、ある一つのプリセット片耳・両耳モードがオン又はオフにされる。
さらに、音域モードモジュールが更に含まれる。前記音量音域モードモジュールは、ブルートゥースモジュールに電気的に接続され、前記音域モードモジュールには、複数の音域モードが設定され、ブルートゥースモジュールの命令に従って、ある一つのプリセット音域モードがオン又はオフにされる。
【０００８】
さらに、ユーザーカスタマイジングモジュールが更に含まれる。前記ユーザーカスタマイジングモジュールは、ブルートゥースモジュールに電気的に接続され、ユーザーの好みに応じてカスタマイジングモードを設定し、ブルートゥースモジュールの命令に従ってカスタマイジングモードをオン又はオフにするために使用される。
本考案の有益な効果は次のとおりである。上記の構造設定により、使用中、音声送受信モジュールは、プリセット音声命令を受信すると、音声情報を受信し、ヘッドセットにマッチングするブルートゥース装置に音声情報を送信する。ヘッドセットにマッチングするブルートゥース装置は、音声情報を認識し、音声情報に応じて命令を送信する。命令受信モジュールは命令を受信し、命令をブルートゥースモジュールに伝送する。ブルートゥースモジュールは命令に応じて対応する機能を実行する。上記の構造により、本考案は、ブルートゥース・ヘッドセットに対する音声制御を実現する。ブルートゥース・ヘッドセットにマッチングするブルートゥース装置は、音声送受信モジュールから送信された音声情報を受信し命令を認識して送信する。命令受信モジュールは、命令を受信してブルートゥースモジュールに送信する。ブルートゥースモジュールは命令を実行する。ブルートゥース・ヘッドセットにマッチングするブルートゥース装置は音声認識を担当する。ブルートゥース・ヘッドセットに音声認識モジュールが設けられないので、ブルートゥース・ヘッドセットは、コストが低くなり、体積が減少し、コストパフォーマンスがよくなり、柔軟で携帯に便利である。
【図面の簡単な説明】
【０００９】
以下、本考案の実施例の技術的手段を更に明らかに説明するために、実施例の説明に必要な図面を簡単に説明する。下記の説明における図面は本考案の複数の実施例に過ぎず、当業者であれば、創造的な労働をしない前提で、これらの図面に基づいて他の図面を得ることができる。
以下添付図面と実施例を参照しながら本考案を更に説明する。
【図１】本考案の一実施例のモジュールの模式図である。
【図２】本考案の別の実施例の模式図である。
【図３】本考案のＰＣＢボードの模式図である。
【考案を実施するための形態】
【００１０】
図１〜図３を参照されたい。ソフトウェアとハードウェアを分離した音声制御ブルートゥース・ヘッドセットは、受話機１、記憶モジュール２、音声送受信モジュール３、命令受信モジュール４及びブルートゥースモジュール５を含み、前記受話機１は、ブルートゥースモジュール５に電気的に接続され、オーディオ電気信号と音声信号の変換を実現するために使用され、前記記憶モジュール２は、ブルートゥースモジュール５に電気的に接続され、システム・ファームウェア及びシステム構成ファイルを記憶するために使用され、前記音声送受信モジュール３は、ブルートゥースモジュール５に電気的に接続され、プリセットパスワードを受信すると、受信した音声情報を、ヘッドセットにマッチングするブルートゥース装置に送信するために使用され、前記命令受信モジュール４は、ブルートゥースモジュール５に電気的に接続され、ヘッドセットにマッチングするブルートゥース装置が音声情報を認識した後に送信した命令を受信するために使用され、前記ブルートゥースモジュール５は、システム制御及びブルートゥース伝送のために使用されるとともに、命令受信モジュールにより受信された命令を処理して対応する機能を実行するために使用される。
【００１１】
上記の構造設定により、使用中、音声送受信モジュール３は、プリセット音声命令を受信すると、音声情報を受信し、ヘッドセットにマッチングするブルートゥース装置に音声情報を送信する。ヘッドセットにマッチングするブルートゥース装置は、音声情報を認識し、音声情報に応じて命令を送信する。命令受信モジュール４は命令を受信し、命令をブルートゥースモジュール５に伝送する。ブルートゥースモジュール５は命令に応じて対応する機能を実行する。上記の構造により、本考案は、ブルートゥース・ヘッドセットに対する音声制御を実現する。ブルートゥース・ヘッドセットにマッチングするブルートゥース装置は、音声送受信モジュール３から送信された音声情報を受信し命令を認識して送信する。命令受信モジュール４は、命令を受信してブルートゥースモジュール５に送信する。ブルートゥースモジュール５は命令を実行する。ブルートゥース・ヘッドセットにマッチングするブルートゥース装置は音声認識を担当する。ブルートゥース・ヘッドセットに音声認識モジュールが設けられないので、ブルートゥース・ヘッドセットは、コストが低くなり、体積が減少し、コストパフォーマンスがよくなり、柔軟で携帯に便利である。
【００１２】
本実施例では、音量出力制御モジュール６を更に含み、前記音量出力制御モジュール６は、ブルートゥースモジュール５に電気的に接続され、前記音量出力制御モジュール６には、複数のプリセット音量出力モードが設定され、ブルートゥースモジュール５の命令に従って、ある一つのプリセット音量出力モードがオン又はオフにされる。プリセット音量出力モードは０％音量出力モード、２５％音量出力モード、５０％音量出力モード、７５％音量出力モード及び１００％音量出力モードの５つの音量出力モードであってもよい。ブルートゥースモジュールからの命令に従って、ある一つのプリセット音量出力モードがオンにされ、ヘッドセットの音量を命令に対応する音量出力モードに調整する。実際の使用中、ユーザーは必要に応じて適切な音量出力モードを選択して、音量を自分の希望する音量に迅速に調整し、音量を継続的に調整する手間を軽減することができる。
【００１３】
本実施例では、片耳・両耳モードモジュール７を更に含み、前記片耳・両耳モードモジュール７は、ブルートゥースモジュール５に電気的に接続され、前記片耳・両耳モードモジュール７には、複数のプリセット片耳・両耳モードが設定され、ブルートゥースモジュール５の命令に従って、ある一つのプリセット片耳・両耳モードがオン又はオフにされる。プリセット片耳・両耳モードは、左耳が静音モード、右耳が静音モード、及び両耳が静音モードであってもよい。使用中、ユーザーは、必要に応じてあるモードを選択し、ブルートゥース・ヘッドセットに対して左耳、右耳又は両耳のミュート操作を迅速に行い、会話中に外部の声をスムーズに聞くことができる。
【００１４】
本実施例では、音域モードモジュール８を更に含み、前記音域モードモジュール８は、ブルートゥースモジュール５に電気的に接続され、前記音域モードモジュール８には、複数の音域モードが設定され、ブルートゥースモジュール５の命令に従って、ある一つのプリセット音域モードがオン又はオフにされる。プリセット音域モードは、通常の音域モード、高音強化モード及び低音強化モードであってもよい。ユーザーは、聞く音楽に応じてモードを選択して、高音強化、低音強化又は通常の音域を選択することができる。
【００１５】
本実施例では、ユーザーカスタマイジングモジュール９を更に含む。前記ユーザーカスタマイジングモジュール９は、ブルートゥースモジュールに５電気的に接続される。前記ユーザーカスタマイジングモジュール９は、ユーザーの好みに応じてカスタマイジングモードを設定し、ブルートゥースモジュール５の命令に従ってカスタマイジングモードをオン又はオフにするために使用される。ユーザーは、自分の必要に応じてモードを任意に設定し、そのモードの音域、音量及び左右耳モードを設定し、音声命令によりこのプリセットのカスタマイジングモードをオン／オフすることができる。
【００１６】
上記は、具体的な内容を組み合わせて提供される１つ以上の実施形態であり、本考案の具体的な実施がこれらの説明のみに限定されるとは考えられない。本考案の方法や構造などと類似／相似するか、又は本考案の構想を前提とした複数の技術の推定又は置換は、本考案の保護範囲とみなされるべきである。
【図１】
0003225862.tif 000003
【図２】
0003225862.tif 000004
【図３】
0003225862.tif 000005
【手続補正書】
【提出日】令和1年12月20日(2019.12.20)
【手続補正２】
【補正対象書類名】明細書
【補正対象項目名】０００１
【補正方法】変更
【補正の内容】
【０００１】
本考案は、ブルートゥース（登録商標）・ヘッドセット技術の分野に関し、特に、ソフトウェアとハードウェアを分離したブルートゥース音声制御ヘッドセットに関する。
【手続補正書】
【提出日】令和2年1月29日(2020.1.29)
【手続補正１】
【補正対象書類名】実用新案登録請求の範囲
【補正対象項目名】全文
【補正方法】変更
【補正の内容】
【実用新案登録請求の範囲】
【請求項１】
ソフトウェアとハードウェアを分離した音声制御ブルートゥース（登録商標）・ヘッドセットであって、受話機（１）、記憶モジュール（２）、音声送受信モジュール（３）、命令受信モジュール（４）及びブルートゥース（登録商標）モジュール（５）を含み、前記受話機（１）は、ブルートゥースモジュール（５）に電気的に接続され、オーディオ電気信号と音声信号の変換を実現するために使用され、前記記憶モジュール（２）は、ブルートゥースモジュール（５）に電気的に接続され、システム・ファームウェア及びシステム構成ファイルを記憶するために使用され、前記音声送受信モジュール（３）は、ブルートゥースモジュール（５）に電気的に接続され、プリセットパスワードを受信すると、受信した音声情報を、ヘッドセットにマッチングするブルートゥース（登録商標）装置に送信するために使用され、前記命令受信モジュール（４）は、ブルートゥースモジュール（５）に電気的に接続され、ヘッドセットにマッチングするブルートゥース装置が音声情報を認識した後に送信した命令を受信するために使用され、前記ブルートゥースモジュール（５）は、システム制御及びブルートゥース（登録商標）伝送のために使用されるとともに、命令受信モジュールにより受信された命令を処理して対応する機能を実行するために使用される、ことを特徴とするソフトウェアとハードウェアを分離した音声制御ブルートゥース・ヘッドセット。
【請求項２】
音量出力制御モジュール（６）を更に含み、前記音量出力制御モジュール（６）は、ブルートゥースモジュール（５）に電気的に接続され、前記音量出力制御モジュール（６）には、複数のプリセット音量出力モードが設定され、ブルートゥースモジュール（５）の命令に従って、ある一つのプリセット音量出力モードがオン又はオフにされる、ことを特徴とする請求項１に記載のソフトウェアとハードウェアを分離した音声制御ブルートゥース・ヘッドセット。
【請求項３】
片耳・両耳モードモジュール（７）を更に含み、前記片耳・両耳モードモジュール（７）は、ブルートゥースモジュール（５）に電気的に接続され、前記片耳・両耳モードモジュール（７）には、複数のプリセット片耳・両耳モードが設定され、ブルートゥースモジュール（５）の命令に従って、ある一つのプリセット片耳・両耳モードがオン又はオフにされる、ことを特徴とする請求項１に記載のソフトウェアとハードウェアを分離した音声制御ブルートゥース・ヘッドセット。
【請求項４】
音域モードモジュール（８）を更に含み、前記音域モードモジュール（８）は、ブルートゥースモジュール（５）に電気的に接続され、前記音域モードモジュール（８）には、複数の音域モードが設定され、ブルートゥースモジュール（５）の命令に従って、ある一つのプリセット音域モードがオン又はオフにされる、ことを特徴とする請求項１に記載のソフトウェアとハードウェアを分離した音声制御ブルートゥース・ヘッドセット。
【請求項５】
ユーザーカスタマイジングモジュール（９）を更に含み、前記ユーザーカスタマイジングモジュール（９）は、ブルートゥースモジュールに（５）電気的に接続され、前記ユーザーカスタマイジングモジュール（９）は、ユーザーの好みに応じてカスタマイジングモードを設定し、ブルートゥースモジュール（５）の命令に従ってカスタマイジングモードをオン又はオフにするために使用される、ことを特徴とする請求項１に記載のソフトウェアとハードウェアを分離した音声制御ブルートゥース・ヘッドセット。